(57)【要約】【課題】  本考案は、浮き子式フロートバルブに可撓性と親水性を有する薄いシート状の給水器を装着し毛管水分移動効果を活用した長期間自動給水が可能な簡易一体型給水器を提供する。【解決手段】  浮き子式フロートバルブの筐体を広口ビンとし上蓋はネジ蓋とする。筐体内部の浮力体の浮力を調節し内部の水深を調節する。さらに、筐体の上部端に掛ける形で可撓性と親水性をもつ薄い給水器を、フロートバルブ内水面と外部の土壌との水連結するよう配置しネジ蓋を緩く閉め挟み込むことにより固定する。フロートバルブ内水深の調整、給水器の水面接触幅や断面積の調整により給水量が調整でき、ネジ蓋を締め付けることによっても給水量の調節、止水が可能である。さらに、筐体下部に開孔部を設けることにより、透過浸透型給水器とすることや各種の断面をもつ親水性材質を適用することが出来る。【選択図】図１
0003132666.tif 000002
【実用新案登録請求の範囲】
【請求項１】
ネジ蓋付き広口ビンを筐体とした浮き子式フロートバルブの筐体内側に設定された水面に、可撓性と親水性を有する薄いテープやシート状の給水器の一端を接触させ、筐体とネジ蓋間の隙間を通し筐体外部に給水器を引き出し、土壌等の給水対象となる媒質と面接触させ、筐体内部の水面から毛管水分移動により給水が行われる浸透式の自動給水器。
【請求項２】
ネジ蓋付き広口ビンを筐体とする請求項１の給水器のネジ蓋のねじ込み量を加減することにより給水量の調整、止水を容易にした給水器。
【請求項３】
浮き子式フロートバルブ筐体内の浮力体を交換もしくは調節し、浮力を増減させることにより筐体内の水面水位高さを調節することができる。それにより、請求項１の給水器具の毛管水分移動量を調節することにより給水量調節ができる給水器。
【請求項４】
請求項１の給水器具の親水性を有する給水器の筐体内部の水面への接触幅、面積を増減させることにより給水量の調節ができる給水器。
【請求項５】
浮き子式フロートバルブの筐体下部の水面位置下に開孔部を設け、水透渦性の材質により覆い筐体内部の水位設定と毛管水分移動効果により請求項１と同様に浸透給水を行う給水器。
【請求項６】
浮き子式フロートバルブの筐体側面に、開孔部を設け、毛管水分移動が可能な親水性を有する各種断面形状の給水器により、内部の水面から開口部をとおして、引き出し土壌と接触させ、請求項１と同様に毛管浸透給水を行う給水器。
【考案の詳細な説明】
【技術分野】
【０００１】  この考案は、浮き子式フロートバルブによる水位高さ調節と、それに接続する毛管水分移動可能な浸透給水器により土壌などの媒質に対する給水量を調節できる一体型給水器に関するものである。
【背景技術】
【０００２】  従来、微小な流量を連続に維持し給水する器具には、底面式給水専用の植木鉢やプランタなどに組み込む一体型のものなどがあった。また、負圧差灌漑法や低正圧地中連続灌漑法として知られる浸透型透過給水チューブを土壌に埋設して連続給水を行う地中連続灌漑法の装置があった。さらに、簡単な毛管水分移動効果を応用した浸透給水器があった。
【考案の開示】
【考案が解決しようとする課題】
【０００３】  一体型の底面給水装置では、水源容量確保が困難であり構造も複雑、重量も増大する傾向であった。【０００４】  さらに、浸透型給水チューブを利用する地中連続灌漑法の装置については、本来大規模向けの装置であり、植木鉢植栽など小規模への適用が困難であった。また、簡単な毛管水分移動効果を応用した親水性の紐などを利用した給水器等は、給水源の水面変動により安定した給水確保が難しかった。【０００５】  すなわち、簡易小型単純で汎用性を持ち、長期間、土壌の乾湿にあわせて正確に給水が出来る給水器具はなかった。
【課題を解決するための手段】
【０００６】  浮き子式フロートバルブとして知られる水位設定器において、密閉可能なネジ蓋付き広口ビンを筐体とし、筐体内には水位調節用の浮力体を設置する。この広口瓶のネジ蓋には流量調節用中空インジェクタノズルを装着し給水源からの導水チューブと接続する。
毛管水分移動効果をもち親水性をもつ薄いテープやシートを広口ビン筐体上部の縁に掛ける形で、ネジ蓋を緩くねじ込み装着し筐体との隙間に挟み込む。一端は、フロートバルブ筐体内の水面に接触させ、外部に引き出されたテープやシートの部分は土壌など給水対象となる媒質に接触させる。それにより、毛管水分移動により土壌の乾湿に対応した自動給水量調節ができる給水器である。
なお、毛管水分移動効果をもち親水性をもつ薄いテープ型給水器の両端を筐体内部に接触し筐体外側にループを描くように引き出し配置することによっても同様の効果を得ることが出来る。
【考案の効果】
【０００７】  浮き子式フロートバルブ筐体内部から外部へ掛けて配置する薄い素材の給水器の水面接触幅、面積を増減することにより、毛管水分移動量を調節でき、給水量が調節できる。【０００８】  さらに、浮き子式フロートバルブ内の浮力体について、水位設定性能が維持できる範囲で浮力を調節することにより、内部の水深が調整できる。
これによりフロートバルブ内から外部の給水対象の媒質に対する給水量が調節できる。【０００９】  広口ビン蓋をネジ蓋とし、それを締めることによりフロートバルブ内部と外部の大気連通を抑制することができる。
これにより、フロートバルブの給水調節機能を減じ、給水量が抑制、調節できる。
さらに、堅く締めることにより実質的に止水することが出来る。【００１０】  また、ネジ蓋の締め上げによる止水機能の代替として、浮き子式フロートバルブ筐体側面に開口部を設けることにより、シート状材質以外にも紐状等様々な断面形状で毛管水分移動効果をもつ浸透給水器を接続利用できる。なお、筐体内部水面下、下部に開孔部を設けそれに透過型の浸透給水器を直接接続することにより一体型の透過型浸透給水器を実現することが出来る。
【考案を実施するための最良の形態】
【００１１】  給水用水源に、雨水貯留なども可能な液体用容器を利用し、フロートバルブを安定作動させるだけの水圧を供給できる高さに設置し水面設定する。
この水面高さは、実用上、およそフロートバルブ上面から５ｃｍ以上程度あればよく、設置は容易であり、特別のポンプ動力による水圧加圧などは必要とせず、省エネルギーにでき複数の浮き子型浸透給水器を同時に接続連結することが出来る。【００１２】  本考案の浮き子式フロートバルブを連結し土壌など給水対象の媒質に接触設置する。
媒質が乾燥していれば、毛管水分移動が増大し給水量が増大し、湿潤になれば給水量は減じる。
その効果により自動調節式連続給水を長期間行うことができる。
【実施例】
【００１３】  以下添付図面により概略を説明する。
浮き子式フロートバルブは、１の広口ビンのネジ蓋上の中空インジェクタノズル装着口１ａに４の中空インジェクタノズルを装着し、上端のチューブ接続部４ａには、７の連結用ホースを介して、６の給水用水源とする液体容器に接続する。【００１４】  ２の広口ビン容器筐体の内側には、上方に止水用スポンジ３ａを接合した３の浮力体を格納する。さらに、筐体の上の縁にかけるように５の親水性と毛管水分移動効果を有するシートを一端が、８の水位面に十分届き接触し水に漬かるように配置し、筐体外部にシートを引き出し、９の土壌など給水対象となる媒質に接触配置する。【００１５】  また、この毛管水分移動効果を有する薄い材質のシートは、１の広口ビンのネジ蓋と筐体上部隙間に挟み込め、ネジ蓋を緩く閉めることで固定され、フロートバルブ内部は大気連通状態が保たれる。
さらに、ネジ蓋を締め付けていくと、フロートバルブの大気連通は妨げられてゆき、４の中空インジェクタノズルと３の浮力体による水供給効果を減じ、給水量を減少させることが出来、堅く締め付けると実質上止水することができる。【００１６】  ３に示す浮力体を交換や調節の方法で、止水性能を損なわない範囲で浮力調節することにより、２の広口ビン筐体内の水深は変化する。
これにより、毛細管効果について、水面から筐体上部までのしきいとなる高さを増すことにより水分移動が減じるという効果を利用して給水量を調節できる。【００１７】  さらに、親水性と毛管水分移動効果を持つシート状の材質の面積、フロートバルブ内部の水位面８に接触する幅を増やすことにより毛管水分移動量が増大する現象を利用して給水量を調節できる。
このとき、９の土壌など給水対象となる媒質への接触面積が増大すると、土壌の乾湿に対して自動給水調整する効果はより大きくなる。【００１８】  さらに、２の広口ビン筐体であるフロートバルブ筐体下部に、１１の透過型浸透給水器を１０の透過型浸透給水器接続孔に装着することによっても自動給水が可能な一体型給水器とすることができる。８の水位面より上の位置に１２の浸透給水器接続孔を設け、それに親水性の紐など各種断面を持つ毛管水分移動効果をもつ各種浸透給水器１３を接続し利用することが可能となる。
【図面の簡単な説明】
【００１９】
【図１】  本考案の給水器具の主要部斜視図である。
【図２】  本考案の給水機器の設置状況を示す断面図である。
【図３】  本考案の給水機器を透過式浸透給水器とした場合の断面図である。
【図４】  本考案の給水機器に各種断面の親水材を接続する場合の断面図である。
【符号の説明】
【００２０】１    広口ビンのネジ蓋
２    広口ビン容器筐体
３    浮力体
４    中空インジェクタノズル
５    親水性と毛管水分移動効果を有するシート
６    給水用水源とする液体用容器
７    連結用ホース
８    水位面
９    土壌など給水対象となる媒質
１０  透過型浸透給水器接続孔
１１  透過型浸透給水器
１２  浸透給水器接続孔
１３  浸透給水器
【図１】
0003132666.tif 000003
【図２】
0003132666.tif 000004
【図３】
0003132666.tif 000005
【図４】
0003132666.tif 000006
【手続補正書】
【提出日】平成19年3月20日(2007.3.20)
【手続補正１】
【補正対象書類名】実用新案登録請求の範囲
【補正対象項目名】全文
【補正方法】変更
【補正の内容】
【実用新案登録請求の範囲】
【請求項１】
ネジ蓋付き広口ビンを筐体とする浮き子式フロートバルブの筐体内側に設定された水面に、可撓性と親水性を有する薄いテープやシート状の給水器の一端を接触させ、筐体とネジ蓋間の隙間を通し筐体外部に給水器を引き出し、土壌等の給水対象となる媒質と面接触させ、筐体内部の水面から毛管水分移動効果によって連続給水および自動給水調節を可能となしたことを特徴とする自動給水器具。
【請求項２】
上記の自動給水器具の筐体上部に固定するネジ蓋のねじ込み量を増減することによって、筐体内の水面水位変化による給水量の調節および止水を可能となしたことを特徴とする請求項１に記載する自動給水器具。
【請求項３】
上記の自動給水器具の筐体内部に設置する浮力体の浮力を増減し筐体内に形成される水面水位を変化させることによって、給水量の調節を可能となしたことを特徴とする請求項１に記載する自動給水器具。
【請求項４】
上記の給水器具の親水性を有するシートやテープの幅又は断面積を増減し、筐体内部の水面への接触幅又は接触断面積、および土壌等の給水対象となる媒質との接触面積を調節することによって給水量の調節を可能となしたことを特徴とする請求項１に記載する自動給水器具。
【請求項５】
浮き子式フロートバルブの筐体下部に開孔部を設け、水透過性の浸透給水器を装着し、土壌等の給水対象となる媒質と面接触させ、筐体内部水面の水位設定および毛管水分移動効果によって、浸透移動による給水を可能となしたことを特徴とする自動給水器具。
【請求項６】
浮き子式フロートバルブの筐体内側に設定された水面に、可撓性と親水性および紐等の形状を有する給水器の一端を接触させ、筐体の水面位置より上側に設けた開孔部を通して筐体外部に給水器を引き出し、土壌等の給水対象となる媒質と面接触させ、筐体内部の水面から毛管水分移動効果によって連続給水を可能となしたことを特徴とする自動給水器具。